(57)【要約】【課題】着用中に悪臭成分が着用者の肌の周辺に蓄積することを抑制でき、排泄物由来の臭いを気にせずに衛生的に使用することができる吸収性物品を提供すること。【解決手段】吸収性物品１における吸収体４は、液保持性の吸収性コア４０と、該吸収性コア４０の肌対向面及び非肌対向面を被覆するコアラップシート５３とを含んで構成され、該コアラップシート５３に抗菌剤が含有されている。吸収性コア４０に、該吸収性コア４０の肌対向面及び非肌対向面の少なくとも一方に開口を有して横方向Ｙに延在する横連通路６（６０，６１）が、該吸収性コア４０の横方向Ｙの一端から他端にわたって連続して配されている。【選択図】図３
2020006140.tif 000002
【特許請求の範囲】
【請求項１】
着用者の前後方向に対応する縦方向とこれに直交する横方向とを有し、縦方向において、着用者の排泄部に対向配置される排泄スポット部を含む排泄部対向部と、該排泄部対向部よりも着用者の腹側に配される前方部と、該排泄部対向部よりも着用者の背側に配される後方部とに区分され、肌対向面を形成する表面シートと、非肌対向面を形成する裏面シートと、これら両シート間に位置する吸収体とを具備する吸収性物品であって、
前記吸収体は、液保持性の吸収性コアと、該吸収性コアの肌対向面及び非肌対向面を被覆するコアラップシートとを含んで構成され、該コアラップシートに抗菌剤が含有されており、
前記吸収性コアに、該吸収性コアの肌対向面及び非肌対向面の少なくとも一方に開口を有して横方向に延在する横連通路が、該吸収性コアの横方向一端から他端にわたって連続して配されており、
前記吸収性コアの肌対向面に、前記表面シート及び前記肌対向面を被覆するコアラップシートが一体的に固定された固定部を含む固定領域が、前記横連通路とその縦方向の前後に位置する該横連通路の非配置部にわたって延在しており、
前記固定領域において、前記表面シート及び前記肌対向面を被覆するコアラップシートが前記横連通路の非配置部で前記吸収性コアに固定されて、前記固定部が形成されており、
前記固定部において、前記表面シート、前記肌対向面を被覆するコアラップシート及び前記吸収性コアが一体的に凹陥した肌側凹陥部が形成されていると共に、該吸収性コアの非肌対向面における該肌側凹陥部と厚み方向において重なる位置に、前記非肌対向面を被覆するコアラップシート及び該吸収性コアが一体的に凹陥した非肌側凹陥部が形成されている吸収性物品。
【請求項２】
前記固定領域において、前記表面シート及び前記コアラップシートが前記横連通路で前記吸収性コアに固定されて、前記固定部が形成されている請求項１に記載の吸収性物品。
【請求項３】
前記固定領域において、前記表面シート及び前記コアラップシートは、前記横連通路の非配置部のみで前記吸収性コアに固定されており、該横連通路では非固定である請求項１に記載の吸収性物品。
【請求項４】
前記吸収性コアに配されている前記横連通路の少なくとも一部は、平面視において縦方向外方に向かって凸形状の横連通路であり、
前記吸収性コアに、前記凸形状の横連通路から縦方向外方に延在する縦溝が、該凸形状の横連通路から該吸収性コアの縦方向端にわたって配されている請求項１〜３のいずれか１項に記載の吸収性物品。
【請求項５】
前記吸収性コアに、前記凸形状の横連通路とは別に、前記縦溝から横方向外方に延在する前記横連通路としての横溝が、縦方向に所定間隔を置いて複数配されている請求項４に記載の吸収性物品。
【請求項６】
前記凸形状の横連通路の幅は、前記横溝の幅よりも長い請求項５に記載の吸収性物品。
【請求項７】
前記吸収性コアに関して、前記横連通路の坪量は、該横連通路の周辺部の坪量に比して低い請求項１〜６のいずれか１項に記載の吸収性物品。
【請求項８】
前記横連通路は、前記吸収性コアの肌対向面及び非肌対向面の双方に開口を有している請求項７に記載の吸収性物品。
【発明の詳細な説明】
【技術分野】
【０００１】
本発明は、抗菌機能を有する吸収性物品に関する。
【背景技術】
【０００２】
生理用ナプキン等の吸収性物品においては、着用者の肌に対するフィット性が不十分で肌との隙間があると、経血等の排泄物が肌の表面を伝って臀部などに流れてしまい、液漏れに繋がる場合がある。これに対し、吸収性物品中の吸収性コアにおける、着用者の膣口等の排泄部に対向配置される部位に、周辺部に比して厚みが大きい肉厚部を形成して肌対向面に隆起させることによって、吸収性物品の身体に対するフィット性を高め、液漏れを防止する技術が知られている。また、平面方向に延設された溝状の空間が設けられたブロック状の吸収性コアが知られている（特許文献１及び２）。
【０００３】
また吸収性物品では、着用中における排泄物由来の不快な臭いは、着用者や周囲の人にとって気になる問題である。この問題を解決するために従来、吸収性物品に消臭剤や抗菌剤を配合することが行われている。例えば特許文献３には、吸収性コアを被覆するコアラップシートにカチオン性抗菌剤及びｐＨ緩衝性消臭剤を含有させ、排泄物の透過経路においてこれらの剤を溶出させることで、持続的な消臭作用の発現を図った技術が記載されている。また特許文献４には、吸収性物品の排泄部対向部における吸収性コアの横方向中央部に、高坪量部と低坪量部とが縦方向又は横方向に交互に形成された中央高通気領域を設け、且つ該中央高通気領域における吸収性コアと裏面シートとの間に、活性炭などの消臭剤を含有する消臭シートを配置することが記載されている。特許文献４記載の吸収性物品によれば、経血中に含まれる臭い成分が、通気性が向上した吸収性コア内を流通して、消臭シートにおいて効率的に吸着されるため、経血量の多い時期の臭いだけではなく、経血量の少ない時期に使用しても特に優れた消臭性能が得ることができるとされている。
【先行技術文献】
【特許文献】
【０００４】
【特許文献１】特開２０１６−１１９９８２号公報
【特許文献２】国際公開第２０１６／０６４９９４号明細書
【特許文献３】特開２０１６−１６９４４６号公報
【特許文献４】特開２０１６−１２０１９２号公報
【発明の概要】
【発明が解決しようとする課題】
【０００５】
従来技術の吸収性物品によれば、吸収性物品の着用中に悪臭成分が発生した場合に、その悪臭成分がいつまでも吸収性物品と着用者の肌との間など、着用者の肌の周辺に滞留していると、不衛生な環境が放置されることで肌トラブルを招くおそれがあり、また、悪臭成分の蓄積と変質が原因となり、悪臭がよりひどいものとなって着用者のストレスの原因となるおそれもある。
【０００６】
したがって本発明の課題は、前述した従来技術が有する欠点を解消し得る吸収性物品を提供することにあり、具体的には、着用中に悪臭成分が着用者の肌の周辺に蓄積することを抑制でき、排泄物由来の臭いを気にせずに衛生的に使用することができる吸収性物品を提供することに関する。
【課題を解決するための手段】
【０００７】
本発明は、着用者の前後方向に対応する縦方向とこれに直交する横方向とを有し、縦方向において、着用者の排泄部に対向配置される排泄スポット部を含む排泄部対向部と、該排泄部対向部よりも着用者の腹側に配される前方部と、該排泄部対向部よりも着用者の背側に配される後方部とに区分され、肌対向面を形成する表面シートと、非肌対向面を形成する裏面シートと、これら両シート間に位置する吸収体とを具備する吸収性物品であって、前記吸収体は、液保持性の吸収性コアと、該吸収性コアの肌対向面及び非肌対向面を被覆するコアラップシートとを含んで構成され、該コアラップシートに抗菌剤が含有されており、前記吸収性コアに、該吸収性コアの肌対向面及び非肌対向面の少なくとも一方に開口を有して横方向に延在する横連通路が、該吸収性コアの横方向一端から他端にわたって連続して配されている吸収性物品である。
【発明の効果】
【０００８】
本発明によれば、着用中に悪臭成分が着用者の肌の周辺に蓄積することを抑制でき、排泄物由来の臭いを気にせずに衛生的に使用することができる吸収性物品が提供される。
【図面の簡単な説明】
【０００９】
【図１】図１は、本発明の吸収性物品の一実施形態である生理用ナプキンの肌対向面側（表面シート側）を示す斜視図である。
【図２】図２は、図１のＩ−Ｉ線断面（図４のＩ−Ｉ線と同位置での断面）を模式的に示す横断面図である。
【図３】図３は、図１のＩＩ−ＩＩ線断面を模式的に示す縦断面図である。
【図４】図４は、図１の生理用ナプキンにおける吸収性コアの非肌対向面側を示す平面図である。
【図５】図５は、図１の生理用ナプキンにおける吸収性コアの非肌対向面側を示す斜視図である。
【図６】図６は、本発明の吸収性物品の他の実施形態である生理用ナプキンの肌対向面側（表面シート側）を示す平面図である。
【発明を実施するための形態】
【００１０】
以下、本発明の吸収性物品をその好ましい実施形態に基づき図面を参照しながら説明する。図１〜図３には、本発明の吸収性物品の一実施形態である生理用ナプキン１が示されている。ナプキン１は、肌対向面を形成する表面シート２と、非肌対向面を形成する裏面シート３と、これら両シート２，３間に位置する液保持性の吸収体４とを備えている。
【００１１】
本明細書において、「肌対向面」は、吸収性物品又はその構成部材（例えば吸収体４）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側、すなわち相対的に着用者の肌から遠い側に向けられる面である。なお、ここでいう「着用時」は、通常の適正な着用位置、すなわち当該吸収性物品の正しい着用位置が維持された状態を意味する。
【００１２】
ナプキン１は、図１に示すように、着用者の前後方向に対応し、着用者の腹側から股間部を介して背側に延びる縦方向Ｘと、これに直交する横方向Ｙとを有し、また縦方向Ｘにおいて、着用者の膣口などの排泄部に対向する排泄スポット部（図示せず）を含む排泄部対向部Ｂと、該排泄部対向部Ｂよりも着用者の腹側（前側）に配される前方部Ａと、該排泄部対向部Ｂよりも着用者の背側（後側）に配される後方部Ｃとの３つに区分される。以下の説明において、特に説明しない場合、縦方向Ｘは、吸収性物品の縦方向Ｘ又はその構成部材における吸収性物品の縦方向Ｘに沿う方向であり、横方向Ｙは、吸収性物品の横方向Ｙ又はその構成部材における吸収性物品の横方向Ｙに沿う方向である。
【００１３】
ナプキン１は、図１に示すように、縦方向Ｘに長い形状の吸収性本体５と、吸収性本体５における排泄部対向部Ｂの縦方向Ｘに沿う両側部それぞれから横方向Ｙの外方に延出する一対のウイング部１１，１１とを有している。吸収性本体５は、ナプキン１の主体をなす部分であり、前記の表面シート２、裏面シート３及び吸収体４を具備し、縦方向Ｘにおいて前方部Ａ、排泄部対向部Ｂ及び後方部Ｃの３つに区分される。
【００１４】
なお、本発明の吸収性物品における排泄部対向部は、図１に示すナプキン１のように、吸収性物品がウイング部を有する場合には、該吸収性物品の縦方向（長手方向、図中のＸ方向）においてウイング部を有する領域に相当し、ナプキン１を例にとれば、一方のウイング部１１の縦方向Ｘに沿う付け根と他方のウイング部１１の縦方向Ｘに沿う付け根とに挟まれた領域である。また、図示していないが、ウイング部を有しない吸収性物品における排泄部対向部は、該吸収性物品を縦方向に三等分して３領域に区分したときの、縦方向中央の領域である。
【００１５】
図１〜図３に示すように、表面シート２は、吸収体４の肌対向面の全域を被覆している。一方、裏面シート３は、吸収体４の非肌対向面の全域を被覆し、さらに吸収体４の縦方向Ｘに沿う両側縁から横方向Ｙの外方に延出し、後述するサイド防漏シート１３と共にサイドフラップ部１０を形成している。サイドフラップ部１０は、吸収体４から横方向Ｙの外方に延出する部材からなる部分である。裏面シート３とサイド防漏シート１３とは、吸収体４の縦方向Ｘに沿う両側縁からの延出部において、接着剤、ヒートシール、超音波シール等の公知の接合手段によって互いに接合されている。ナプキン１においてはこのように、吸収体４が表面シート２と裏面シート３とで挟持され、表面シート２又はサイド防漏シート１３と裏面シート３とがナプキン１の外縁部全周で接合されている。ナプキン１を構成するシート間の接合には、接着剤、ヒートシール、超音波シール等の任意の接合手段が用いられる。
【００１６】
サイドフラップ部１０は、図１に示すように、排泄部対向部Ｂにおいて横方向Ｙの外方に向かって大きく張り出しており、これにより吸収性本体５の縦方向Ｘに沿う左右両側に、一対のウイング部１１，１１が延設されている。ウイング部１１の非肌対向面には、ウイング部１１をショーツ等の着衣に固定するウイング部粘着部（図示せず）が設けられている。ウイング部１１は、ショーツ等の着衣のクロッチ部の非肌対向面（外面）側に折り返されて用いられる。前記ウイング部粘着部は、その使用前においてはフィルム、不織布、紙等からなる剥離シート（図示せず）によって被覆されている。
【００１７】
図１に示すように、表面シート２の横方向Ｙの両端部（すなわち表面シート２の縦方向Ｘに沿う両側縁部）それぞれの肌対向面側には、一対のサイド防漏シート１３，１３が配されている。サイド防漏シート１３は、表面シート２と共に、ナプキン１の肌対向面を形成している。一対のサイド防漏シート１３，１３は、それぞれ、吸収性本体５の縦方向Ｘの略全長にわたって配されており、ナプキン１を横方向Ｙに二等分する横中心線ＣＬｙから相対的に近い内側端部１３ａと、横中心線ＣＬｙから相対的に遠い外側端部１３ｂとを有している。サイド防漏シート１３の内側端部１３ａは、平面視において吸収体４（吸収性コア４０）の横方向Ｙの端部（すなわち吸収体４の縦方向Ｘに沿う側縁部）と重なっている、すなわち、吸収体４の横方向Ｙの端部と厚み方向において重なっている。サイド防漏シート１３の外側端部１３ｂは、吸収体４の横方向Ｙの外方に位置している。サイド防漏シート１３は、内側端部１３ａよりも横方向Ｙの外方位置にて、接着剤等の公知の接合手段によって表面シート２又は裏面シート３に接合されており、内側端部１３ａは図２に示すように、表面シート２に対して非固定であり、自由端部となっている。
【００１８】
なお、サイド防漏シート１３の内側端部（自由端部）１３ａに、１本又は複数本の弾性部材が縦方向Ｘに伸長状態で配されていてもよい。その場合、ナプキン１の着用時には前記弾性部材の収縮力により、サイド防漏シート１３の内側端部１３ａが着用者の肌側に向かって起立して防漏カフが形成される。前記防漏カフは、ナプキン１の肌対向面に排泄された経血等の排泄物の横漏れ防止に効果的である。
【００１９】
表面シート２、裏面シート３、サイド防漏シート１３としては、生理用ナプキン等の吸収性物品に従来使用されている各種のもの等を特に制限なく用いることができる。表面シート２としては、液透過性を有する不織布や、穿孔フィルムを用いることができる。裏面シート３としては、合成樹脂製の液不透過性フィルムや、スパンボンド−メルトブローン−スパンボンド積層不織布等の耐水圧が高い撥水性の不織布を用いることができる。サイド防漏シート１３としては、耐水圧が高い撥水性の不織布、例えば、スパンボンド−メルトブローン−スパンボンド積層不織布等を用いることができる。
【００２０】
吸収体４は、液保持性の吸収性コア４０と、吸収性コア４０の肌対向面を被覆する肌側コアラップシート５１と、吸収性コア４０の非肌対向面を被覆する非肌側コアラップシート５２とを含んで構成されている。本実施形態においては、吸収性コア４０延いてはナプキン１は、吸収性本体５を横方向Ｙに二等分する横中心線ＣＬｙ（図１参照）を基準として対称に形成されている。ナプキン１における吸収性コア４０は、パルプ繊維等の繊維材料からなる繊維集合体、又は該繊維集合体に吸水性ポリマーを保持させたものからなる。コアラップシート５１，５２は、吸収性コア４０の形成材料の漏れ出し防止、吸収性コア４０の保形性の向上などの役割を担う。表面シート２と肌側コアラップシート５１との間、裏面シート３と非肌側コアラップシート５２との間は、ドット、スパイラル、ストライプ等のパターン塗工された接着剤により互いに接合されていることが好ましい。
【００２１】
本実施形態においては、肌側コアラップシート５１及び非肌側コアラップシート５２は、それぞれ、１枚のコアラップシート５３の一部であり、該シート５３は、図２及び図３に示すように、その横方向Ｙの両端部どうしの重なり部５４が吸収性コア４０（吸収体４）の非肌対向面に位置するように、該吸収性コア４０の表面（外面）を被覆している。重なり部５４は吸収体４の横方向Ｙの中央部に位置している。
【００２２】
より具体的には、コアラップシート５３は、吸収性コア４０の横方向Ｙの長さの２倍以上３倍以下の幅を有する、横方向Ｙの長さ（幅）が比較的長い繊維シートであり、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。そして、この１枚のコアラップシート５３において、吸収性コア４０の肌対向面を被覆する部分が肌側コアラップシート５１、吸収性コア４０の非肌対向面を被覆する部分が非肌側コアラップシート５２であり、本実施形態においては、肌側コアラップシート５１と非肌側コアラップシート５２とは同一物である。コアラップシート５３の坪量は、好ましくは５ｇ／ｍ２以上、より好ましくは１０ｇ／ｍ２以上、そして、好ましくは４０ｇ／ｍ２以下、より好ましくは３０ｇ／ｍ２以下である。
【００２３】
コアラップシート５３は、典型的には、親水性繊維を主体とする不織布、紙などのシート状物である。コアラップシート５３に含まれる親水性繊維としては、針葉樹パルプや広葉樹パルプ等の木材パルプ、綿パルプや麻パルプ等の非木材パルプ等の天然繊維；カチオン化パルプ、マーセル化パルプ等の変性パルプ；キュプラ、レーヨン等の再生繊維；アセテート等の半合成繊維；ポリビニルアルコール繊維、ポリアクリロニトリル繊維等の親水性合成繊維；ポリエチレンテレフタレート繊維、ポリエチレン繊維、ポリプロピレン繊維、ポリエステル繊維等の合成繊維に親水化処理を施した繊維等が挙げられ、これらの１種を単独で又は２種以上を混合して用いることができる。コアラップシート５３における親水性繊維の典型的なものは、天然繊維、セルロース系の再生繊維又は半合成繊維である。コアラップシート５３は、親水性繊維に加えてさらに、合成繊維（疎水性繊維）、例えば熱可塑性繊維を含んでいてもよい。熱可塑性繊維としては、例えばポリエチレン、ポリプロピレン、ポリエステル、ポリウレタン等の単一の合成樹脂を用いて形成された単一繊維、あるいは、これら２種以上の複合体等の合成樹脂を用いて形成された複合繊維、例えば、２種以上の合成樹脂を用いて形成した芯鞘型、サイドバイサイド型等の複合繊維を用いることもできる。
【００２４】
コアラップシート５３には抗菌剤が配されている。本実施形態においては、コアラップシート５３の全体に抗菌剤が配されており、したがって肌側コアラップシート５１及び非肌側コアラップシート５２の双方に抗菌剤が配されているが、両シート５１，５２の一方のみに配されていてもよい。少なくとも肌側コアラップシート５１に抗菌剤が配されていると、該シート５１を厚み方向に移動した排泄物に、該シート５１に配されていた抗菌剤が溶解又は分散し、その抗菌剤を含む排泄物が吸収性コア４０の内部に吸収されて抗菌作用を発現し得るため、好ましい。コアラップシート５３に含有される抗菌剤については後で詳述する。
【００２５】
ナプキン１の主たる特徴の１つとして、図２〜図５に示すように、吸収性コア４０に、該吸収性コア４０の肌対向面及び非肌対向面の少なくとも一方に開口を有して横方向Ｙに延在する横連通路６が、該吸収性コア４０の横方向Ｙの一端から他端にわたって連続して配されている点が挙げられる。本実施形態においては、横連通路６としての凸形状横連通路６０及び横溝６１が吸収性コア４０の非肌対向面（裏面シート３との対向面）に配され、それぞれ吸収性コア４０の非肌対向面の横方向Ｙの全長にわたって延在している。
【００２６】
本発明に係る横連通路は、吸収性コアの肌対向面及び非肌対向面の少なくとも一方に開口を有していればよく、ａ）本実施形態の凸形状横連通路６０及び横溝６１の如き、吸収性コアの肌対向面及び非肌対向面の一方にのみ開口を有し、該開口と反対側に底部が存する形態（いわゆる「窪み」あるいは「凹み」）でもよく、ｂ）後述する実施形態の横貫通口６２（図６参照）の如き、吸収性コアの肌対向面及び非肌対向面の双方に開口を有する形態（いわゆる「貫通口」あるいは「スリット」）でもよい。また、本発明に係る横連通路は、吸収性コア４０の横方向Ｙの一端から他端にわたって連続して配されていればよく、その平面視形状は特に限定されず、例えば、横溝６１の如き、直線状でもよく、凸形状横連通路６０の如き、縦方向Ｘの外方に向かって（吸収性コア４０の縦方向Ｘの中央から離れる方向に向かって）凸形状でもよい。凸形状横連通路６０は平面視Ｖ字状であるが、斯かる凸形状の他の一例として、Ｕ字状が挙げられる。
【００２７】
ナプキン１は、吸収性コア４０を横方向Ｙに横断する横連通路６（６０，６１）を有しているため、その着用中にナプキン１と着用者の肌との間に経血等の排泄物由来の悪臭成分が発生しても、その悪臭成分は横連通路６を介してナプキン１の外部に速やかに放出される。したがってナプキン１によれば、ナプキン１と着用者の肌との間に悪臭成分が長時間滞留することによる不都合、例えば、悪臭成分が原因の肌トラブルや、悪臭がよりひどいものとなって外部に放出されることが原因の着用者のストレスなどの発生が効果的に防止される。また、そもそもナプキン１は前述したとおり、吸収性コア４０の外面を被覆するコアラップシート５３に抗菌剤が配されていて、悪臭の主な発生原因である吸収性コア４０の内部での菌の繁殖を効果的に防止し得る。斯かる抗菌剤による抗菌機能と、横連通路６による悪臭成分の放出機能により、排泄物由来の臭いを気にせずに衛生的に安心して使用することができる。また、横連通路６によって排泄物が横方向Ｙに拡散され易いことから、排泄物とコアラップシート５３に含まれる抗菌剤との接触機会の増加が促され、菌の繁殖が抑制され易い。したがって、悪臭成分の発生量自体が抑制され易くなっているので、ナプキン１の外部へ放出される悪臭が気になるレベルになり難い。
【００２８】
本実施形態における吸収性コア４０は、図２〜図５に示すように、標準吸収部４１と、該標準吸収部４１に比して厚みが大きい肉厚部４２とを有している。肉厚部４２は、少なくとも排泄部対向部Ｂに存することが好ましく、本実施形態においては、前方部Ａの排泄部対向部Ｂ寄りの部分から後方部Ｃの排泄部対向部Ｂ寄りの部分にわたって延在している。肉厚部４２は平面視六角形形状をなし、裏面シート３側すなわちナプキン１の着用者の肌側とは反対側に隆起している。本実施形態においてはこのように、吸収性コア４０の非肌対向面は凹凸を有しているのに対し、吸収性コア４０の肌対向面は、微視的には、後述する固定領域８の固定部としての凹陥部などの存在により凹凸を有しているとも言えるが、巨視的には、肉厚部４２のような比較的大きな隆起部を有しておらず平坦である。このように、表面シート２の非肌対向面側に肉厚部４２が存在することによって、図１に示すように、排泄部対向部Ｂにおける肌対向面の横方向Ｙの中央部に、着用者の肌側に向かって突出する隆起部１５が形成されている。
【００２９】
本実施形態における吸収性コア４０は、吸収性コア４０の形成材料（繊維材料、吸水性ポリマーなど）の堆積量（坪量）を部分的に異ならせることで形成されており、形成材料の堆積量が相対的に少ない部位が標準吸収部４１、形成材料の堆積量が相対的に多い部位が肉厚部４２である。肉厚部４２は標準吸収部４１に比して、厚みだけでなく、坪量も大きい。肉厚部４２の坪量は、好ましくは３００ｇ／ｍ２以上、より好ましくは３５０ｇ／ｍ２以上、そして、好ましくは７００ｇ／ｍ２以下、より好ましくは６５０ｇ／ｍ２以下である。肉厚部４２の縦方向Ｘの長さは、吸収性コア４０の縦方向Ｘの全長に対して、好ましくは３０％以上、より好ましくは３５％以上、そして、好ましくは７０％以下、より好ましくは６５％以下である。また、肉厚部４２の縦方向Ｘの最大長さは、好ましくは１００ｍｍ以上、より好ましくは１１０ｍｍ以上、そして、好ましく１５０ｍｍ以下、より好ましくは１４０ｍｍ以下である。
【００３０】
本実施形態においては、図２〜図５に示すように、吸収性コア４０の非肌対向面において、横連通路６としての凸形状横連通路６０が、肉厚部４２に隣接して縦方向Ｘの前方側及び後方側それぞれに一対配されている。そして、図２及び図３に示すように、標準吸収部４１と肉厚部４２との厚み差に起因する段差部４３において、吸収性コア４０とその非肌対向面を被覆する非肌側コアラップシート５２との間に空間Ｓが存在する。このように、吸収性コア４０の非肌対向面の段差部４３に沿って横連通路６が該非肌対向面を横方向Ｙに横断し、且つ段差部４３とこれを被覆する非肌側コアラップシート５２との間に空間Ｓが存在することで、横連通路６内の空間部を含む比較的大きな容積の空間Ｓが、排泄物の吸収容量が比較的多く悪臭の主要な発生源となりやすい肉厚部４２に沿って形成されるので、空間Ｓが悪臭成分の放出路として機能し、悪臭成分が速やかに外部に放出され得る。本実施形態においては、一対の凸形状横連通路６０，６０は、それぞれ、図４に示す如き吸収性コア４０の平面視において、縦方向Ｘの外方に向かって凸のＶ字状をなし、そのＶ字の頂部が横方向Ｙの中央部に位置している。
【００３１】
特に本実施形態における肉厚部４２は、図４及び図５に示すように、吸収性コア４０の横方向Ｙの全長にわたって存在する、すなわち、肉厚部４２（段差部４３）の横方向Ｙの両端部（肉厚部４２の縦方向Ｘに沿う両側縁）が吸収性コア４０のそれと横方向Ｙにおいて同位置にあるため、悪臭成分の放出路として機能する空間Ｓが、比較的大きな空間容量を持って段差部４３に沿って吸収性コア４０を横方向Ｙに横断しており、悪臭成分の放出機能に優れる。
【００３２】
さらに本実施形態においては、段差部４３に沿って配されている横連通路６が、図４に示す如き平面視において縦方向Ｘの外方に向かって凸形状、より具体的にはＶ字状の凸形状横連通路６０であるため、段差部４３に沿って配されている横連通路６が横溝６１の如き平面視直線状である場合に比して、空間Ｓの空間容量が大きく、そのため前述した、肉厚部４２（段差部４３）が吸収性コア４０の横方向Ｙの全長にわたって存在することによる作用効果と相俟って、悪臭成分が一層速やかに外部に放出され得る。また、排泄物を横方向Ｙのみならず、縦方向Ｘの外側へ向かって拡散し易くなるので、吸収体４の広い面積に亘ってコアラップシート５３の抗菌剤と接触させ易くなり、悪臭成分の発生抑制を高めることが可能となる。
【００３３】
本実施形態においては、図２、図４及び図５に示すように、吸収性コア４０に、凸形状横連通路６０から縦方向Ｘの外方に延在する縦溝７が、凸形状横連通路６０から吸収性コア４０の縦方向端にわたって配されている。縦溝７は平面視直線状をなし、前方部Ａ及び後方部Ｃそれぞれにおいて、横方向Ｙに所定間隔を置いて複数配されている。前方部Ａ側の縦溝７と後方部Ｃ側の縦溝７とは、吸収性コア４０の横方向Ｙの全長にわたって存在する肉厚部４２によって分断されている。
【００３４】
また本実施形態においては、図３、図４及び図５に示すように、吸収性コア４０に、凸形状横連通路６０とは別に、縦溝７から横方向Ｙの外方に延在する横連通路６としての横溝６１が、縦方向Ｘに所定間隔を置いて複数配されている。横溝６１は平面視直線状をなし、前方部Ａ及び後方部Ｃそれぞれにおいて、縦方向Ｘに所定間隔を置いて複数配されている。このため、縦溝７と横溝６１との連携によって、悪臭成分及び排泄物が縦方向Ｘ及び横方向Ｙの双方に亘って吸収性コア４０を拡散していくので、悪臭成分によるトラブルの抑制効果を一層高めることができる。
【００３５】
縦溝７及び横連通路６の１つである横溝６１は、それぞれ、吸収性コア４０の非肌対向面に開口を有し、該開口と反対側に底部が存するいわゆる「窪み」ないし「凹み」であり、図２及び図３に示すように、吸収性コア４０肌対向面側に凸の部分である。
【００３６】
縦溝７と横溝６１とは互いに交差、より具体的には直交している。これにより、吸収性コア４０の標準吸収部４１の非肌対向面側が、図４及び図５に示すように、互いに交差する縦溝７及び横溝６１によって複数の標準小吸収部４１Ｓに区分されている。標準吸収部４１の非肌対向面には、平面視直線状の縦溝７及び横溝６１と平面視四角形形状の標準小吸収部４１Ｓとが、縦方向Ｘ及び横方向Ｙそれぞれにおいて交互に存在している。このように、本実施形態における標準吸収部４１は、相対的に坪量が高い標準小吸収部４１Ｓと、該標準小吸収部４１Ｓを包囲し相対的に坪量が低い縦溝７及び横溝６１とからなるブロック領域を多数有する、ブロック構造を有している。このようなブロック構造の標準吸収部４１の存在により、吸収性コア４０は、縦方向Ｘ及び横方向Ｙの双方に柔軟なものとなり、そのことに起因して吸収性コア４０は着用者の身体の形状に沿いやすいものとなる。
【００３７】
本実施形態のナプキン１は、前述したように、吸収性コア４０の非肌対向面に凸形状横連通路６０から該吸収性コア４０の縦方向端にわたって縦溝７が延在し、この縦溝７が、凸形状横連通路６０あるいはその近傍の空間Ｓと同様に、悪臭成分の放出路として機能するため、排泄物由来の悪臭成分を縦方向Ｘ及び横方向Ｙの双方から放出することができ、ナプキン１と着用者の肌との間に悪臭成分が長時間滞留することによる不都合を効果的に防止し得る。
【００３８】
また、後方部Ｃはナプキン１の着用時に着用者の臀部に対応する部分であるところ、後方部Ｃに位置する吸収性コア４０の標準吸収部４１は、縦溝７及び横溝６１を有するために柔軟で身体追従性に優れる。そのためナプキン１は、特に臀部側での漏れ防止効果に優れ、また、コアラップシート５３に配された抗菌剤による抗菌効果と相俟って、着用者のカブレなどの肌トラブルを効果的に抑制し得る。
【００３９】
排泄物の吸収性能及び抗菌性能の向上の観点から、凸形状横連通路６０の幅６０Ｗ（図４参照）は、横溝６１の幅６１Ｗ（図４参照）よりも長いことが好ましい。このように、幅６０Ｗ＞幅６１Ｗなる大小関係が成立することで、吸収性コア４０は特に凸形状横連通路６０の形成位置で縦方向Ｘに折れ曲がりやすくなり、これによりナプキン１は、その着用中に、一対の凸形状横連通路６０，６０それぞれを横方向Ｙに横断する折曲線（図示せず）にて、その一対の凸形状横連通路６０，６０に挟まれた肉厚部４２が着用者の肌側に突出するように縦方向Ｘに折れ曲がって変形し、排泄部対向部Ｂが着用者の股間部に密着性よくフィットするので、排泄物の吸収性能が向上し得る。また、このようにナプキン１が着用中に折れ曲がって変形することで、その変形したナプキン１における、抗菌剤を含有するコアラップシート５３が折れ曲がるところ、その該シート５３の折れ曲がり部及びその近傍は、該シート５３の他の部分に比して単位面積当たりの抗菌剤の量が多い抗菌剤高濃度領域となるため、抗菌効率が向上し得る。特に本実施形態のように、肉厚部４２（段差部４３）に沿って横連通路６（凸形状横連通路６０）が存在する形態は、前述した幅６０Ｗ＞幅６１Ｗなる大小関係によるナプキン１の変形が起こりやすく、後方部Ｃの身体追従性の高さと相俟って、後方部Ｃに前記抗菌剤高濃度領域が形成されやすく、結果として、優れた抗菌作用が発現され得る。なお、段差部４３の周辺に位置する横溝６１は、段差部４３に沿って配されている横連通路６部分での変形のしすぎを抑制する緩衝作用も有するので、段差部４３の周辺に横溝６１が存在することで、段差部４３に沿って配されている横連通路６がナプキン１の着用中に潰れてしまう不都合が抑制される。特に図４に示すように、段差部４３に沿って配されている横連通路６が凸形状横連通路６０であり、且つ該凸形状横連通路６０の周辺に位置する横溝６１が横方向Ｙに沿って形成されていると、この効果は発揮され易い。
【００４０】
このような、ナプキン１の折れ曲がり変形に起因する排泄物の吸収性能及び抗菌性能の向上効果は、特に排泄物が集中する排泄部対向部Ｂにおいて発現することが好ましい。その観点から、折れ曲がりの起点となり得る横連通路６（６０，６１）は、排泄部対向部Ｂと前方部Ａ又は後方部Ｃとの境界に配されていることが好ましい。本実施形態においては図４に示すように、排泄部対向部Ｂと前方部Ａ及び後方部Ｃそれぞれとの境界に、凸形状横連通路６０が配されているため、排泄部対向部Ｂにおいて前記効果が特に発現しやすく、また、排泄部対向部Ｂの肉厚部４２の排泄物が、肉厚部４２に沿って配された凸形状横連通路６０を介して横方向Ｙの外方に効果的に拡散されるので、吸収性コア４０が有する吸収性能を有効に活用することができる。
【００４１】
前述した作用効果をより一層確実に奏させるようにする観点から、凸形状横連通路６０の幅６０Ｗと横溝６１の幅６１Ｗとの比率は、前者＞後者を前提として、前者／後者として、好ましくは１．１以上、より好ましくは１．２以上、そして、好ましくは３．０以下、より好ましくは２．５以下である。
凸形状横連通路６０の幅６０Ｗ（すなわち凸形状横連通路６０の延在方向と直交する方向の長さ）は、好ましくは２ｍｍ以上、より好ましくは３ｍｍ以上、そして、好ましくは１０ｍｍ以下、より好ましくは８ｍｍ以下である。
横溝６１の幅６１Ｗ（すなわち横溝６１の延在方向と直交する方向の長さ、縦方向Ｘの長さ）は、好ましくは１ｍｍ以上、より好ましくは２ｍｍ以上、そして、好ましくは５ｍｍ以下、より好ましくは３ｍｍ以下である。
【００４２】
同様の観点から、横方向Ｙに隣り合う縦溝７，７どうしの間隔７Ｇ（図４参照）は、好ましくは５ｍｍ以上、より好ましくは７ｍｍ以上、そして、好ましくは１５ｍｍ以下、より好ましくは１２ｍｍ以下である。縦方向Ｘに隣り合う横溝６１，６１どうしの間隔６１Ｇ（図４参照）は、好ましくは１０ｍｍ以上、より好ましくは１５ｍｍ以上、そして、好ましくは３０ｍｍ以下、より好ましくは２５ｍｍ以下である。
【００４３】
同様の観点から、吸収性コア４０に関して、横連通路６の坪量（横連通路６と平面視において重複する部分の坪量）は、該横連通路６の周辺部の坪量に比して低いことが好ましい。ここでいう、横連通路６の周辺部は、本実施形態では、凸形状横連通路６０又は横溝６１に隣接する標準小吸収部４１Ｓである。このように、横連通路６の坪量＞周辺部の坪量なる大小関係が成立することで、前述した、ナプキン１の折れ曲がり変形が起こりやすくなり、特に排泄部対向部Ｂの肉厚部４２が着用者の肌側に突出しやすくなる。また、相対的に低坪量の横連通路６が排泄物の一時的な貯留部として機能し得るため、例えば、ナプキン１の着用時において一度に大量の排泄物が排泄された場合に、横連通路６でその排泄物を貯留しつつ、周辺の標準小吸収部４１Ｓに拡散させることが可能となり、排泄物の吸収性能が一層向上し得る。
【００４４】
標準吸収部４１において、横連通路６（６０，６１）の坪量とその周辺部である標準小吸収部４１Ｓの坪量との比率は、前者＜後者を前提として、前者／後者として、好ましくは０．２以上、より好ましくは０．３以上、そして、好ましくは０．７以下、より好ましくは０．６以下である。
横連通路６（６０，６１）の坪量は、好ましくは５０ｇ／ｍ２以上、より好ましくは７０ｇ／ｍ２以上、そして、好ましくは２００ｇ／ｍ２以下、より好ましくは１５０ｇ／ｍ２以下である。縦溝７の坪量も、横連通路６と同様の範囲にすることができる。
標準小吸収部４１Ｓの坪量は、好ましくは２００ｇ／ｍ２以上、より好ましくは２２０ｇ／ｍ２以上、そして、好ましくは３５０ｇ／ｍ２以下、より好ましくは３００ｇ／ｍ２以下である。
横連通路６（６０，６１）、縦溝７、標準小吸収部４１Ｓの坪量は下記方法により測定される。
【００４５】
＜坪量の測定方法＞
測定対象の吸収性コア４０における横連通路６の形成部位（低坪量部）とその周辺部である標準小吸収部４１Ｓ（高坪量部）との境界線に沿ってフェザー社製の片刃剃刀を用いて切断する。切断して得られた高坪量部の小片１０個をそれぞれ電子天秤（Ａ＆Ｄ社製電子天秤ＧＲ−３００、精度：小数点以下４桁）を用いて測定し、高坪量部の小片１個の平均重量を求める。求めた平均重量を高坪量部の小片１個当りの平均面積で除して高坪量部の坪量を算出し、標準小吸収部４１Ｓの坪量とする。
次いで、低坪量部と高坪量部との境界線のうちナプキン１の横方向Ｙに延びた境界線に沿って、長さ１００ｍｍ、幅は低坪量部の幅の設計寸法に合わせて、フェザー社製の片刃剃刀を用いて、細いストライプ状の低坪量部の横方向Ｙの小片５個を切り出す。得られた小片５個をそれぞれ電子天秤（Ａ＆Ｄ社製電子天秤ＧＲ−３００、精度：小数点以下４桁）を用いて測定し、平均して低坪量部の小片１個の平均重量を求める。求めた平均重量を低坪量部の横方向Ｙの小片１個当たりの平均面積で除して低坪量部の横方向Ｙの坪量を算出し、横方向Ｙに延在する横連通路６の坪量とする。なお、縦溝７についても、横連通路６と同様にして坪量を算出する。
【００４６】
吸収性コア４０（標準吸収部４１）において前述の「横連通路６の坪量＞周辺部（標準小吸収部４１Ｓ）の坪量」なる大小関係を成立させる方法の一例として、積繊装置を用いた公知の吸収性コアの製造方法において、吸収性コアの形成材料の積繊量を横連通路６とその周辺部（標準小吸収部４１Ｓ）とで異ならせる方法が挙げられる。公知の吸収性コアの製造方法は、典型的には、空気流に乗せて供給した吸収性コアの形成材料を、積繊装置（回転ドラム等）の外面に形成された集積用凹部の底部に吸引堆積させる工程を有するところ、斯かる工程において、底部の開孔率が部分的に異なる集積用凹部を使用することで、形成材料の積繊量を部分的に異ならせることができる。具体的には例えば、横連通路６（凸形状横連通路６０、横溝６１）の形成予定部位に対応する底部の開孔率が、その周辺部（標準小吸収部４１Ｓ）の形成予定部位に対応する底部の開孔率に比して高く、前者の底部が後者の底部よりも前記空気流が通過しやすいように調整されている集積用凹部を使用することにより、横連通路６が形成された肉薄且つ低坪量の部位と、その周辺の肉厚且つ高坪量の部位（標準小吸収部４１Ｓ）とを有する、吸収性コア４０を形成することができる。また、前述の「横連通路６の坪量＞周辺部の坪量」なる大小関係を得るために、例えば特開２０１５−９７７１６号公報に記載の吸収性コアの製造方法を利用してもよい。
【００４７】
なお、前述の「横連通路６の坪量＞周辺部（標準小吸収部４１Ｓ）の坪量」なる大小関係が成立する場合、横連通路６（６０，６１）の配置位置における吸収性コア４０の密度は、その周辺部（標準小吸収部４１Ｓ）におけるそれと同じか又は低くなる。本発明は斯かる大小関係が成立する形態に制限されず、例えば、横連通路６の配置位置における吸収性コア４０の密度は、その周辺部におけるそれに比して高くてもよい。このような、「横連通路６の配置位置の密度＞周辺部（標準小吸収部４１Ｓ）の密度」なる大小関係が成立する吸収性コア４０は、例えば、坪量が均一で表面（非肌対向面）に凹凸のない吸収性コアの該表面に、エンボス加工などの押圧処理を施すことで製造することができ、斯かる製造方法において、吸収性コア４０における押圧処理が施された部分が、周辺部に比して高密度の横連通路６となる。
【００４８】
本実施形態においては、図１〜図５に示すように吸収性コア４０の肌対向面に、表面シート２及びコアラップシート５３（より具体的には肌側コアラップシート５１）が一体的に固定された固定部を含む固定領域８が、横連通路６（６０，６１）とその縦方向Ｘの前後に位置する該横連通路６の非配置部にわたって延在している。ここでいう、横連通路６の非配置部は、本実施形態においては標準小吸収部４１Ｓ及び肉厚部４２である。
【００４９】
本実施形態における固定領域８は、排泄部対向部Ｂに、縦方向Ｘに延在する一対の縦固定領域８１，８１を有し、また前方部Ａに、横方向Ｙに延在する前方固定領域８２を有し、また後方部Ｃに、横方向Ｙに延在する後方固定領域８３を有している。各固定領域８１，８２，８３どうしはそれらの延在方向の端部にて互いに連結されており、平面視環状（長楕円形状）の固定領域８を形成している。一対の縦固定領域８１，８１は、肉厚部４２の横方向Ｙの両側部を縦方向Ｘに縦断しており、肉厚部４２の横方向Ｙの中央部は環状の固定領域８によって包囲されている。
【００５０】
固定領域８（８１，８２，８３）には、前記固定部（すなわち、吸収性コア４０の肌対向面における表面シート２及び肌側コアラップシート５１が固定された部分）のみからなる形態に加え、それ以外の部分（すなわち、吸収性コア４０の肌対向面における表面シート２及び肌側コアラップシート５１の非固定部）を含む形態が包含される。前記固定部及び前記非固定部の双方を含む固定領域８においては、典型的には、複数の固定部が間欠配置され（固定部どうしの間隔は好ましくは３ｍｍ以下）、その隣り合う固定部間に非固定部が存在するところ、その複数の固定部がある程度のまとまりをもって存在する領域が、固定領域８である。本発明においては、固定領域８の平面視形状・配置等は図示の形態に制限されず、この種の吸収性物品において防漏溝などと呼ばれるものと同様に設定でき、例えば、固定領域８の平面視形状は直線状でも曲線を含む形状でもよい。
【００５１】
固定領域８（８１，８２，８３）における前記固定部は、少なくとも横連通路６（６０，６１）の非配置部、すなわち標準小吸収部４１Ｓ及び肉厚部４２に存する。前記固定部において、表面シート２、肌側コアラップシート５１及び吸収性コア４０どうしを固定する手段は特に限定されず、接着剤、熱を伴う圧搾加工や超音波シールなどによる融着などの公知の固定手段を用いることができる。
【００５２】
本実施形態においては、固定領域８（８１，８２，８３）における前記固定部は、吸収性本体５の肌対向面側から熱を伴うか又は伴わない圧搾加工（いわゆるエンボス加工）を施すことによって形成されている。そのため前記固定部においては、表面シート２と吸収体４（肌側コアラップシート５１及び吸収性コア４０）とが一体的に凹陥している。すなわち、本実施形態における固定領域８の前記固定部は凹陥部である。前記固定部の凹陥深さは、その延在方向の全長にわたって一定でもよく、部分的に異なっていてもよい。
【００５３】
前述した構成の本実施形態においては、表面シート２と吸収性コア４０とが、ナプキン１の横方向Ｙの両側部に位置する固定領域８（すなわち一対の縦固定領域８１，８１）における横連通路６（６０，６１）の非配置部にて、肌側コアラップシート５１を挟持した状態で吸収性コア４０に固定されているため、前述した、ナプキン１の折れ曲がり変形（肉厚部４２の着用者の肌側への突出変形）が生じた場合に、その変形に伴って肌側コアラップシート５１が過度に変形して皴などが発生して着用時の違和感に繋がる、といった不都合が効果的に防止され得る。
【００５４】
斯かる肌側コアラップシート５１の過度の変形防止効果をより一層確実に奏させるようにする観点から、表面シート２及び肌側コアラップシート５１は、固定領域８（縦固定領域８１）における横連通路６（６０，６１）の非配置部のみならず、横連通路６でも吸収性コア４０に固定されることが好ましい。
【００５５】
これに対し、表面シート２及び肌側コアラップシート５１が、固定領域８（縦固定領域８１）における横連通路６（６０，６１）の非配置部のみで吸収性コア４０に固定され、横連通路６では非固定であると、縦固定領域８１に比較的硬いこれら固定部と比較的柔軟な非固定部とが混在するため、一対の縦固定領域８１，８１に挟まれた部分（排泄部対向部Ｂの横方向Ｙの中央部）の肌触りが良好なものとなり得る。また特に、表面シート２及び肌側コアラップシート５１が、固定領域８（縦固定領域８１）における凸形状横連通路６０の縦方向Ｘの前後で吸収性コア４０に固定され、該凸形状横連通路６０では非固定であると、前述したナプキン１の折れ曲がり変形（肉厚部４２の着用者の肌側への突出変形）が助長されるので、ナプキン１のフィット性及び排泄物の吸収性能の向上に繋がる。
【００５６】
本実施形態のナプキン１においては、固定領域８（縦固定領域８１）の前記固定部において、表面シート２、肌側コアラップシート５１及び吸収性コア４０は、それらの肌対向面側及び非肌対向面側の双方から圧搾された状態である。そのため、本実施形態のナプキン１においては、図２及び図３に示すように、ナプキン１の肌対向面における固定領域８（縦固定領域８１）の前記固定部に、これらの部材２，５１，４０が一体的に凹陥した肌側凹陥部が形成されていると共に、吸収性コア４０の非肌対向面（裏面シート３との対向面）における該肌側凹陥部と厚み方向において重なる位置に、非肌側コアラップシート５２及び吸収性コア４０が一体的に凹陥した非肌側凹陥部９が形成されている。非肌側凹陥部９は、固定領域８の前記固定部としての前記肌側凹陥部と同一の平面視形状をなしている。非肌側凹陥部９は、典型的には、ナプキン１の肌対向面にエンボス加工などの圧搾加工により常法に従って前記肌側凹陥部を形成した場合に、その圧搾時の押圧に伴って吸収体４の非肌対向面に形成され、こうして形成された非肌側凹陥部９は、吸収体４の平面視において前記肌側凹陥部と略完全に一致する。
【００５７】
このように前記肌側凹陥部及び非肌側凹陥部９が形成された吸収体４（吸収性コア４０）の内部には、これら両凹陥部に挟まれた高密度部が存在する。この高密度部は、平面視線状の両凹陥部に対応して、平面視線状をなしている。吸収性コア４０の内部にこのような高密度部が存在すると、吸収性コア４０の横連通路６（６０，６１）を介して横方向Ｙの外方に移動する排泄物が該高密度部に導かれやすくなるため、排泄物が横方向Ｙの外方から漏れ出すいわゆる横漏れが効果的に防止され得る。また、前記高密度部においては、抗菌剤を含有する肌側コアラップシート５１と非肌側コアラップシート５２とが厚み方向に近接しているため、単位面積当たりの抗菌剤の量が他の部位に比して多く、そのため、前記高密度部を中心として、吸収性コア４０内の多量の排泄物に対して抗菌作用を効率よく発現することが可能となる。
【００５８】
本実施形態のナプキン１においては、前述したとおり図１及び図２に示す如くに、表面シート２の横方向Ｙの両端部それぞれの肌対向面側に、一対のサイド防漏シート１３，１３が配され、各サイド防漏シート１３の横方向Ｙの両端部のうち、ナプキン１の横中心線ＣＬｙから相対的に近い内側端部１３ａは、吸収体４の横方向Ｙの端部と重なり、且つ表面シート２に対して非固定である。前述したように、ナプキン１の折れ曲がり変形（肉厚部４２の着用者の肌側への突出変形）は、ナプキン１のフィット性、排泄物の吸収性能、抗菌剤による抗菌作用などを向上し得る反面、斯かる変形に伴って横連通路６（６０，６１）が潰れるように変形した場合に、特に排泄部対向部Ｂ（肉厚部４２）から経血等の比較的高粘性の排泄物が漏れることが懸念されるが、前記のように、サイド防漏シート１３の内側端部１３ａが吸収体４の横方向Ｙの端部と重なり、且つ表面シート２に対して非固定であると、該吸収体４の横方向Ｙの端部における、横連通路６（６０，６１）の延在方向の開放端を、サイド防漏シート１３の内側端部１３ａが覆うような構成となるため、斯かる懸念が払拭される。
【００５９】
図６には、本発明の吸収性物品の他の実施形態が示されている。後述する他の実施形態については、前記実施形態のナプキン１と異なる構成部分を主として説明し、同様の構成部分は同一の符号を付して説明を省略する。特に説明しない構成部分は、前記実施形態のナプキン１についての説明が適宜適用される。
【００６０】
図６に示すナプキン１Ａは、縦方向Ｘに長い形状の吸収性本体５と、吸収性本体５における排泄部対向部Ｂの縦方向Ｘに沿う両側部それぞれから横方向Ｙの外方に延出する一対のウイング部１１，１１と、吸収性本体５における後方部Ｃの縦方向Ｘに沿う両側部それぞれから横方向Ｙの外方に延出する一対の後方フラップ部１２，１２を有していて、いわゆる夜用として好ましく使用されるナプキンである。夜用ナプキンは、就寝時に使用されることを想定しており、全長が３０ｃｍ以上であることが好ましい。後方フラップ部１２は、サイドフラップ部１０が後方部Ｃにおいて横方向Ｙの外方に向かって大きく張り出すことで、吸収性本体５の縦方向Ｘに沿う側部に延設されている。後方フラップ部１２は、これを着衣に固定する際に折り返されず、その非肌対向面が広げられた状態すなわち吸収性本体５の側方に延ばされた状態で、その非肌対向面に形成された後方粘着部（図示せず）を介して、着衣の肌対向面すなわち内面に固定される。
【００６１】
ナプキン１Ａは、吸収性コア４０を横方向Ｙに横断する横連通路６として、吸収性コア４０の肌対向面及び非肌対向面の双方に開口を有している横貫通口６２を具備する点で、前述したナプキン１と大きく異なる。横貫通口６２は文字とおり、吸収性コア４０を厚み方向に貫通しており、吸収性コア４０の形成材料が実質的に存在していない部分（吸収性コア４０の形成材料の坪量が３０ｇ／ｍ２以下の部分）である。ナプキン１Ａにおける横貫通口６２は、肉厚部４２の前方側に配された凸形状横連通路６０と同様に、肉厚部４２に隣接して配され、且つ平面視において縦方向Ｘの外方に向かって凸のＶ字状をなし、そのＶ字の頂部が横方向Ｙの中央部に位置している。ナプキン１Ａによってもナプキン１と同様の効果が奏される。
【００６２】
以下、本発明においてコアラップシートに含有される抗菌剤について説明する。抗菌剤としては、有機性の抗菌剤を用いることが好ましい。有機性の抗菌剤は、排泄物中の臭い発生原因物質が有機性である場合に、臭い発生原因物質との良好な親和性から高い抗菌・消臭性が期待できる。有機性の臭い原因物質や菌との親和性の観点から、有機性のカチオン性抗菌剤が特に好ましい。カチオン性抗菌剤は、悪臭産生の制御として強い腐敗臭の発生を抑えることができる。なお、「有機性の抗菌剤」とは、有機化合物を主体とする成分を含む抗菌剤であることを指す。
【００６３】
カチオン性抗菌剤としては、前述の抗菌作用を有するものを特に制限なく用いることができる。例えば特開平８−９９８４１号公報の明細書の段落［００１５］〜［００１８］に記載のものがある。これらのカチオン性抗菌剤は、１種を単独で用いてもよく、２種以上を組み合わせて用いてもよい。カチオン性抗菌剤は、有機化合物系の抗菌剤で、銀、亜鉛、銅等の金属イオン系よりも尿等の排泄物への溶出が多く抗菌作用が広範囲である。特に、ジデシルジメチルアンモニウム塩、アルキルピリジニウム塩、ベンゼトニウム塩、ベンザルコニウム塩、モノアルキルトリメチルアンモニウム塩、ジアルキルジメチルアンモニウム塩等の第四級アンモニウム塩が挙げられ、これらからなる群から選ばれる少なくとも１種を含有することが好ましい。これらのカチオン性抗菌剤は１種を単独で用いてもよく、２種以上を組み合わせて用いてもよい。
【００６４】
コアラップシートにおける抗菌剤の含有量（坪量）は、抗菌剤の種類等に応じて適宜に決定することができるが、好ましくは０．０３ｇ／ｍ２以上、より好ましくは０．０５ｇ／ｍ２以上、そして、好ましくは０．２５ｇ／ｍ２以下、より好ましくは０．２０ｇ／ｍ２以下である。前述した肌側コアラップシート５１と非肌側コアラップシート５２とで、抗菌剤の含有量（坪量）は同じでもよく、異なっていてもよい。カチオン性抗菌剤を用いる場合には、その含有坪量は次の方法によって測定することができる。市販の製品等を分析に供する場合には、ドライヤーやコールドスプレーなどを用いて、各部材を剥がし、測定対象のコアラップシートを得る。その後、コアラップシート中のカチオン性抗菌剤の含有坪量を、液体クロマトグラフ／質量分析計（アジレント・テクノロジー株式会社製６１４０  ＬＣ／ＭＳ、イオン化法：ＥＳＩ）にて測定する。あるいは、検量線法によって作成された検量線に基づいてカチオン性抗菌剤の含有量を測定することもできる。
【００６５】
抗菌性と安全性（皮膚への低刺激性）とを両立する観点から、カチオン性抗菌剤のうち、下記式（１）で表されるベンザルコニウム塩を用いることが好ましい。
【００６６】
【化１】
2020006140.tif 000003
【００６７】
前記式（１）中、Ｒ１及びＲ２は、同一の若しくは異なるメチル基、エチル基、又は炭素数８以上２０以下の直鎖若しくは分岐鎖のアルキル基若しくはアルケニル基を表す。Ｘ−は一価のアニオンを表す。
【００６８】
前記式（１）で表されるベンザルコニウム塩のうちの１種を単独で、又は２種以上を組み合わせて用いることができる。式（１）中、Ｒ１及びＲ２の好ましい組み合わせとしては、例えばＲ１がメチル基であり、Ｒ２が炭素数８以上２０以下の直鎖又は分岐鎖のアルキル基である組み合わせや、Ｒ１及びＲ２が同一の基であり、且つ該基が炭素数８以上２０以下の直鎖又は分岐鎖のアルキル基である組み合わせが挙げられる。これらの組み合わせにおいて、アルキル基の炭素数は、１０以上１８以下であることがさらに好ましい。
【００６９】
前記式（１）中、Ｘ−で表される一価のアニオンは、例えばハロゲン化物イオンやアニオン活性基であることが好ましい。「アニオン活性基」とは、陰イオン性の界面活性能を有するイオンのことをいう。
【００７０】
アニオン活性基としては、炭素数６以上、特に炭素数１０以上であり、また、炭素数２０以下、特に炭素数１８以下の直鎖若しくは分岐鎖のアルキル基又はアルケニル基を含むアニオン性活性基を用いることが好ましい。そのようなアニオン活性基として、例えばアルキルリン酸エステル塩やアルキルカルボン酸塩、アルキルスルホン酸塩、アルキル硫酸エステル塩を用いることが、抗菌性能を高める点で好ましい。特に下記式（２）で表されるアルキルリン酸を用いることが、抗菌性能が一層高くなる点で好ましい。
【００７１】
【化２】
2020006140.tif 000004
【００７２】
前記式（２）中、Ｒ３及びＲ４の一方は炭素数６以上２０以下の直鎖又は分岐鎖のアルキル基又はアルケニル基を表し、もう一方は水素原子、メチル基又はエチル基を表す。
【００７３】
Ｒ３及びＲ４の好ましい組み合わせとしては、Ｒ３が水素原子であり、Ｒ４が炭素数８以上２０以下の直鎖又は分岐鎖のアルキル基である組み合わせが挙げられる。アルキル基の炭素数は、１０以上１８以下であることがさらに好ましい。前記式（２）に示すアニオン活性基を有するベンザルコニウム塩をコアラップシートに含有させることによって、抗菌・消臭性能の向上に加えて、該コアラップシートの風合い（嵩高性、柔軟性）を向上させることができる。
【００７４】
前記のベンザルコニウム塩の中でも、特にセチルリン酸ベンザルコニウムを抗菌剤として用いることが、抗菌性、安全性及び即効性の高さの点から一層好ましい。セチルリン酸ベンザルコニウムは、有機系のカチオン性抗菌剤の中で、抗菌性と皮膚への低刺激性（水溶解性が低い）とのバランスがよく、比較的安全性が高いため、抗菌剤としてコアラップシートに好適に使用される。
【００７５】
本発明においてコアラップシートに含有される他の抗菌剤としては、多孔性粒子が挙げられる。本発明における多孔性粒子とは、少なくとも粒子表面に多数の細孔を有する粒子であって、揮発する臭い成分をその孔に捕集、吸着及び／又は包摂できるものを指す。多孔性粒子は、抗菌剤として単独で使用してもよく、前述のカチオン性抗菌剤と併用してもよい。
【００７６】
多孔性粒子の材質としては、有機化合物、無機化合物若しくはそれらの重合体、又はそれらの組み合わせ等が挙げられる。その具体例としては、例えば多孔メタクリル酸ポリマー、多孔アクリル酸ポリマー等のアクリル酸系ポリマー、多孔ジビニルベンゼンポリマー、多孔ピリジン共重合体等の芳香族系ポリマー、及びそれらの共重合体等の合成の多孔質ポリマー；キチン及びキトサン等の天然の多孔質ポリマー；酸化亜鉛、活性炭、シリカ、二酸化ケイ素（シリカゲル）、ケイ酸カルシウム、アルミノ珪酸塩化合物、ハイシリカゼオライト（疎水性ゼオライト）、セピオライト、カンクリナイト、ゼオライト、及び水和酸化ジルコニウム等の無機多孔質物質；銀担持ゼオライト、銀担持カンクリナイト、並びに、銀担持多孔スチレン−ジビニルベンゼン−ビニルピリジンポリマー及び銀担持多孔ジビニルベンゼン−ビニルピリジンポリマー等のビニルピリジン共重合体、などの金属担持多孔質などが挙げられ、これらからなる群から選ばれる少なくとも１種を含有することが好ましい。
【００７７】
この中でも、活性炭、アルミノ珪酸塩化合物及びビニルピリジン共重合体からなる群から選ばれる少なくとも１種を含有することが、抗菌・消臭性能を向上させる観点から好ましい。これらの多孔性粒子は、１種を単独で用いてもよく、２種以上を組み合わせて用いてもよい。特に、有機性の多孔性粒子と無機性の多孔性粒子とを組み合せて用いることによって、多種の臭い成分を一度に捕集できる点で一層有効である。上述の多孔ビニルピリジン共重合体としては、多孔スチレン−ジビニルベンゼン−ビニルピリジンポリマー、多孔ジビニルベンゼン−ビニルピリジンポリマー等が挙げられる。なお、銀担持カンクリナイトとは、特開２００５−３３６３６３号公報の段落［００２９］〜［００４５］に記載のカンクリナイト様鉱物のことである。また、「有機性の多孔性粒子」とは、有機化合物を主体とする多孔を有する粒子であることを指し、「無機性の多孔性粒子」とは、無機化合物を主体とする多孔を有する粒子であることを指す。
【００７８】
抗菌・消臭性能をより効果的に発現させる観点から、本発明に用いられる多孔性粒子は、そのＢＥＴ比表面積が５０ｍ２／ｇ以上であることが好ましく、１００ｍ２／ｇ以上であることがより好ましく、２００ｍ２／ｇ以上であることがさらに好ましい。また、ＢＥＴ比表面積の上限は特に制限されるものではないが、２０００ｍ２／ｇ以下とすることが実際的である。なお、多孔性粒子のＢＥＴ比表面積の値が大きいほど消臭性能が高くなるので、ＢＥＴ比表面積の値は前述の範囲内で大きければ大きいほど好ましい。ＢＥＴ比表面積は、株式会社島津製作所製の比表面積・細孔分布測定装置「ＡＳＡＰ２０２０」を用いて、液体窒素を用いた多点法で測定し、パラメータＣが正になる範囲で値を導出できる。また、細孔分布の測定は水銀圧入法を用いることができる。
【００７９】
また同様の観点から、本発明に用いられる多孔性粒子は、少なくともその平均細孔径は、０．１ｎｍ以上であることを有していればよく、２ｎｍ以上であることが好ましく、５０ｎｍ以下であることがより好ましく、３０ｎｍ以下であることがよりさらに好ましい。多孔性粒子の細孔径は、株式会社島津製作所製の比表面積・細孔分布測定装置「ＡＳＡＰ２０２０」を用いて測定することができる。
【００８０】
多孔性粒子の形状は、消臭効果が奏される限りにおいて特に制限はなく、球形、所定のアスペクト比をもつ棒状や針状、粉砕形状等の不定形状のいずれであってもよい。微粒子の形状は、日本電子株式会社製の走査型電子顕微鏡「ＪＣＭ−５１００」を用いて観察して判断することができる。
【００８１】
多孔性粒子の具体的な例として、前述した活性炭、アルミノ珪酸塩化合物及びビニルピリジン共重合体を用いる場合、そのＢＥＴ比表面積はそれぞれ、１７５０ｍ２／ｇ程度、２５０ｍ２／ｇ程度、３５０ｍ２／ｇ程度のものであり、平均細孔径はそれぞれ４．５ｎｍ程度、２０ｎｍ程度、１０ｎｍ程度のものを用いることができる。
【００８２】
抗菌・消臭の対象となる尿や経血等の排泄物由来の臭い成分は、アンモニア、アミン類、脂肪酸類、硫化水素やメルカプタン類等の成分が複数混合されたものである。一般的に、これらの臭い成分の分子サイズは１ｎｍ以上であるので、平均細孔径が２ｎｍ以上である多孔性粒子を消臭剤として用いることで、複数の臭い成分を効果的に吸着することができる。
【００８３】
特に、前述したＢＥＴ比表面積又は平均細孔径のいずれか一方の好適な数値範囲を満たす多孔性粒子を用いると、抗菌・消臭性能を高く維持しつつ、多孔性粒子の含有量を低減することができるので好ましい。さらに、前記のＢＥＴ比表面積及び平均細孔径の双方の好適な数値範囲を満たす多孔性粒子を用いると、抗菌・消臭性能がより一層向上し、多孔性粒子の含有量をより一層低減できるため、より好ましい。このことが、前述したカチオン性抗菌剤との組み合わせによる多孔性粒子の含有量の低減化と相俟って、持続的且つ効果的な抗菌作用と消臭作用と、コアラップシートの風合いの向上と、吸収性物品に組み込まれた際の装着感の向上とを可能とする。
【００８４】
コアラップシートにおける多孔性粒子（抗菌剤）の含有量（坪量）は、抗菌・消臭効果を好適に得る観点から、０．０５ｇ／ｍ２以上が好ましく、０．１ｇ／ｍ２以上がより好ましく、０．５ｇ／ｍ２以上がさらに好ましい。その上限は、コアラップシートの風合いの低減を抑制する観点から、５ｇ／ｍ２以下が好ましく、３ｇ／ｍ２以下がより好ましく、１．０ｇ／ｍ２以下がさらに好ましい。
【００８５】
前述した多孔性粒子の具体例である、活性炭、アルミノ珪酸塩化合物及びビニルピリジン共重合体を使用する場合には、表面処理を施すことによってさらなる消臭機能を付加することもできる。例えば、活性炭は、塩化亜鉛（ＺｎＣｌ）賦活によって硫黄系ガスに対する化学吸着による消臭機能を具備することができる。また、アルミノ珪酸塩化合物は亜鉛担持によって、ビニルピリジン共重合体は銀担持によって、抗菌作用を具備することができる。
【００８６】
以上、本発明をその好ましい実施形態に基づき説明したが、本発明の吸収性物品は前記実施形態に何ら制限されるものではなく、適宜変更可能である。
例えば前記実施形態においては、肉厚部４２は裏面シート３側に隆起していたが、これと逆に表面シート２側に隆起していてもよい。
また、吸収性や防漏性等の向上の観点から、表面シート２と吸収体４（肌側コアラップシート５１）との間に、セカンドシート、サブレイヤーシートなどとも呼ばれる、紙や各種不織布からなる液透過性シートが介在配置されていてもよい。
本発明の吸収性物品は、図示の如き生理用ナプキンの他、パンティーライナー（おりものシート）等であってもよい。
前述した一の実施形態のみが有する部分は、すべて適宜相互に利用できる。
【符号の説明】
【００８７】
１  生理用ナプキン（吸収性物品）
２  表面シート
３  裏面シート
４  吸収体
４０  吸収性コア
４１  標準吸収部
４１Ｓ  標準小吸収部
４２  肉厚部
４３  段差部
５１  肌側コアラップシート
５２  非肌側コアラップシート
５３  コアラップシート
Ｓ  空間
５  吸収性本体
６  横連通路
６０  凸形状横連通路
６１  横溝
６２  横貫通口
７  縦溝
８  固定領域（肌側凹陥部）
８１  縦固定領域
８２  前方固定領域
８３  後方固定領域
９  非肌側凹陥部（固定部）
１３  サイド防漏シート
１３ａ  サイド防漏シートの内側端部（自由端部）
１３ｂ  サイド防漏シートの外側端部
Ａ  前方部
Ｂ  排泄部対向部
Ｃ  後方部
【図１】
2020006140.tif 000005
【図２】
2020006140.tif 000006
【図３】
2020006140.tif 000007
【図４】
2020006140.tif 000008
【図５】
2020006140.tif 000009
【図６】
2020006140.tif 000010